(57)【特許請求の範囲】
【請求項１】
細長いケースの長手方向に互いに離間して複数の放電電極が配置された放電電極バーを含み、複数の放電電極バーが互いに又は放電電極バーとコントローラとがケーブルを介して接続可能なイオン化装置であって、前記ケースの一方の端部に、前記ケーブルを受け入れるコネクタ用の接続口が２つ設けられ、該２つの接続口が前記ケースの内部で互いに電気的に連結されていることを特徴とするイオン化装置。
【請求項２】
前記ケースの内部に、前記放電電極に供給する高電圧を生成する高電圧ユニットが設けられ、該高電圧ユニットが前記ケースの他端部分に配置されて、前記２つの接続口と前記高電圧ユニットとが前記細長いケースの一端側と他端側とに大きく離間して配置されていることを特徴とする請求項１のイオン化装置。
【請求項３】
前記ケースの内部に、前記放電電極に供給する高電圧を生成する高電圧ユニットが設けられ、該高電圧ユニットが前記放電電極と干渉しない上方領域に配置されていることを特徴とする請求項１のイオン化装置。
【請求項４】
前記ケースの内部に、前記高電圧ユニットの下方領域にエア通路が配置され、
該エア通路が前記ケースの長手方向に延びて、外部から供給されたエアが前記エア通路を通じて各放電電極の周りから外部に吐出されることを特徴とする請求項３に記載のイオン化装置。
【請求項５】
前記ケースが互いに対向する２つの側壁を有し、
前記２つの接続口のうち一方の接続口が、前記ケースの互いに対向する前記２つの側壁のうち一方の側壁に設けられ、前記２つの接続口のうち他方の接続口が、前記ケースの互いに対向する前記２つの側壁のうち他方の側壁に設けられていることを特徴とする請求項１〜４のいずれか一項に記載のイオン化装置。
【請求項６】
細長いケースの長手方向に互いに離間して複数の放電電極が配置されたイオン化装置用の放電電極バーにおいて、前記放電電極バーが、他の放電電極バー又はコントローラとケーブルを介して接続可能であって、前記ケースの一方の端部に、前記ケーブルを受け入れるコネクタ用の接続口が２つ設けられ、該２つの接続口が前記ケースの内部で互いに電気的に連結されていることを特徴とする放電電極バー。
【請求項７】
前記ケースの内部に、前記放電電極に供給する高電圧を生成する高電圧ユニットが設けられ、該高電圧ユニットが前記ケースの他端部分に配置されて、前記２つの接続口と前記高電圧ユニットとが前記細長いケースの一端側と他端側とに大きく離間して配置されていることを特徴とする請求項６の放電電極バー。
【請求項８】
前記ケースの内部に、前記放電電極に供給する高電圧を生成する高電圧ユニットが設けられ、該高電圧ユニットが前記放電電極と干渉しない上方領域に配置されていることを特徴とする請求項６の放電電極バー。
【請求項９】
前記２つの接続口の各々が、前記ケースの２つの互いに対向する両側壁の各々に設けられていることを特徴とする請求項６〜８のいずれか一項に記載の放電電極バー。
【発明の詳細な説明】
【０００１】
【発明の属する技術分野】
この発明は、空気中の静電気制御するために帯状のイオン流を生成する技術に関し、より詳しくはイオン化装置及びその放電電極バーに関する。
【０００２】
【従来の技術】
クリーンルームでの清浄化や浮遊粒子の帯電防止など、空気中の静電気制御のために静電気除去（除電）が行われているが、この非接触の除電に、コロナ放電式のイオン化装置が多用されている。このイオン化装置は、イオン流を供給するエリアの大小によって、比較的広い領域にイオン流を供給するバー形式と、スポット的にイオン流を供給するノズル形式に大別される。
【０００３】
バー形式のイオン化装置は、放電電極バーを称される細長い形状のイオン流供給手段を備え、この放電電極バーから帯状にイオン流が放出される。この種の放電電極バーは、クリーンルーム、クリーンベンチ、コンベアの除電に適しており、比較的広いエリアを除電するには、複数の放電電極バーが設置される。
【０００４】
このような複数の放電電極バーの設置に便宜を図るため、放電電極バーは、外部ケーブルのコネクタを受け入れるために、内部ケーブルによって互いに連結された２つの接続口を備え、この接続口を用いて、コントロールユニット又は隣接する放電電極バーと接続可能になっている。
【０００５】
従来の放電電極バーは、長手方向の両端部分に各接続口が設けられ、各端部分に設けられた接続口同士は、放電電極バーの内部を長手方向に延びる内部ケーブルによって連結されていた。
【０００６】
【発明が解決しようとする課題】
放電電極バーには、電極に高電圧を供給するために、高電圧発生源としての高電圧ユニットが内蔵されている。このことから、放電電極バーの中に、高電圧ユニットと電気的に電位差の大きな内部ケーブルを配置することは部分放電を発生させる虞があるなどの問題があり、好ましいことではない。このような問題に対処するために、従来の放電電極バーにあっては、その長手方向に延びるケーブルを高電圧ユニットから極力離間させるという対策を講じてきた。
しかし、内部ケーブルを高電圧ユニットから離間させるということは、放電電極バーの小型化にとって大きな設計上の制約となる。
【０００７】
そこで、本発明の目的は、２つの接続口を備えた放電電極バーを含むイオン化装置において、２つの接続口を連結するための内部ケーブルの存在が放電電極バーの小型化にとって設計上の大きな制約になっていたという問題を解消することのできるイオン化装置及びその放電電極バーを提供することにある。
【０００８】
本発明の他の目的は、イオン化装置の放電電極バーであって、放電電極バーの２つの接続口を連結するための内部ケーブルによる大型化を抑えることのできるイオン化装置及びその放電電極バーを提供することにある。
【０００９】
【課題を解決するための手段】
上記の技術的課題は、本発明の一つの観点によれば、
細長いケースの長手方向に互いに離間して複数の放電電極が配置された放電電極バーを含み、複数の放電電極バーが互いに又は放電電極バーとコントローラとがケーブルを介して接続可能なイオン化装置であって、前記ケースの一方の端部に、前記ケーブルを受け入れるコネクタ用の接続口が２つ設けられ、該２つの接続口が前記ケースの内部で互いに電気的に連結されていることを特徴とするイオン化装置を提供することによって達成される。
【００１０】
上記の技術的課題は、本発明の他の観点によれば、
細長いケースの長手方向に互いに離間して複数の放電電極が配置されたイオン化装置用の放電電極バーにおいて、前記放電電極バーが、他の放電電極バー又はコントローラとケーブルを介して接続可能であって、前記ケースの一方の端部に、前記ケーブルを受け入れるコネクタ用の接続口が２つ設けられ、該２つの接続口が前記ケースの内部で互いに電気的に連結されていることを特徴とする放電電極バーを提供することによって達成される。
【００１１】
【発明の実施の形態】
本発明によれば、コネクタ用の２つの接続口が放電電極バーのケースの一方側の端部に設けられているため、この２つの接続口同士を電気的連結するケーブル又は電気的な導体を高電圧ユニットから離間させることは容易である。例えば、高電圧ユニットをケースの他端部側に配置すればよい。
【００１２】
従って、放電電極バーの大きさ、特に高さ寸法の対する従来の設計上の制約を事実上解消することができる。
本発明の他の目的や作用効果は、次の実施例の詳しい説明から明らかになるであろう。
【００１３】
【実施例】
以下に、本発明の実施例を添付の図面を参照して詳しく説明する。
図１は、実施例のイオン化装置の放電電極バーを説明するための図である。放電電極バー１はケース２を有し、ケース２の内部には、その下側領域にエアユニット３及び放電電極４が配置され、上側領域に、高電圧ユニット５と、電源回路や例えば表示回路やＣＰＵを含む制御ユニット６が配置されている。ケース２は、その内部の上側領域と下側領域とを実質的に仕切る中間壁７を備えているのが好ましい。放電電極バー１は、高電圧ユニット５及び制御ユニット６が放電電極４と干渉しない上方領域に配置されているため放電電極４の間隔を自由に設定することができる。
【００１４】
エアユニット３は、可撓性チューブ８を介して、隣接するエアユニット３同士が連結され、また、放電電極バー１（ケース２）の両端面に設けられたエアポート９とこれに隣接するエアユニット３とが連結されている。エアポート９は、任意であるが図外のエア源からエアが供給され、エアユニット３に供給されたエアは、放電電極４の近傍から外部に吐出される。
【００１５】
ケース２の一端部分には、２つの互いに電気的に連結された接続口１０が設けられている（図１では、図示の関係から一つだけ描いてある）。この接続口１０については、後に詳しく説明する。図１に示す参照符号１１はＧＮＤ（接地）プレートを示す。
【００１６】
ケース２は、図２から理解できるように、左右に分割された一対のケース分割体１５によって構成されている。左右のケース分割体１５は、プラスチック材料から作られた押出し成形品であり、左右のケース分割体１５の上端はスライド嵌合可能になっている。すなわち、図示のケース２では、一方のケース分割体１５の上端に、横方向に突出した拡大ヘッド１６が形成され、この拡大ヘッド１６は、この一方のケース分割体１５の上端縁に沿って全長にわたって延びている。他方のケース分割体については図示を省略したが、その上端に、拡大ヘッド１６の輪郭と相補的な形状を有する溝が形成され、この溝は、他方のケース分割体の上端縁に沿って長手方向に延びており、溝の両端は共に開放されて、そのいずれの端からも拡大ヘッド１６を受け入れ可能になっている。拡大ヘッド１６を溝の一端側から挿入して、左右のケース分割体１５をその長手方向に相対的にスライドさせることにより左右のケース分割体１５が離脱不能な状態になり、下端に向けて開放した逆Ｕ字状の断面形状を作る。このようにして一体化された一対のケース分割体１５の両端は、図外のキャップによって閉塞される。
【００１７】
図２は、ケース２の上側に配置される高電圧ユニット５及び制御ユニット６の組み付け工程を説明するための分解斜視図である。図２の参照符号１８は、断面矩形の高電圧ユニット収容ボックスを示し、後に説明するように、このボックス１８の中に高電圧ユニット５及びシリコンなどの保護剤が密閉状態で格納されている。
【００１８】
上述した制御ユニット６は、モジュラ基板１９、電源基板２０、ＣＰＵ基板２１などを含み、モジュラ基板１９は、台座２２を介して、一方のケース分割体１５の側壁２３にネジ２５を用いて固定される。また、ケース分割体１５の側壁２３には、同じくネジ２５を用いて、プラスチック製の係合ピン２６が固定され、この係合ピン２６の錨状抜け止め先端を、電源基板２０及びＣＰＵ基板２１の穴に差し込むことにより、電源基板２０及びＣＰＵ基板２１が係合ピン２６を介してケース分割体１５の側壁２３に固定される。また、高電圧ユニット４を格納した高電圧ユニット収容ボックス１８は、両面テープ２７を使って、ケース分割体１５の側壁２３に固定される。中間壁部分７の下には、エアユニット３が設けられる。
【００１９】
上述した方法でケース分割体１５に固定されたモジュラ基板１９、電源基板２０、ＣＰＵ基板２１、高電圧ユニット収容ボックス１８は、ケース分割体１５の側壁２３に形成されたベースプレート部分つまり中間壁部分７の上方領域において、ケース分割体１５の長手方向に沿って一列に並んだ状態で配置される。図２から分かるように、ケース分割体１５の一端側にモジュラ基板１９が配置され、ケース分割体１５の他端側に高電圧ユニット収容ボックス１８（高電圧ユニット５）が配置されている。
【００２０】
モジュラ基板１９は、互いに反対側に向けて配置された２つのコネクタ接続口１０を有し、この２つの接続口１０は、モジュラ基板１９上の配線又はケーブル（図示せず）によって電気的に連結されている。左右のケース分割体１５には、共に、隣接するコネクタ接続口１０に対応する位置に開口３０が形成されている。
【００２１】
図３は、複数の放電電極バー１の配列の一例を示す。図３では、横並びに並置した複数本の放電電極バー１を組３３として、この組３３を複数列に並べたレイアウトになっている。各組３３に属する放電電極バー１は、コネクタ用開口３０（コネクタ接続口１０）を互いに向かい合わせた状態で配置されており、隣接する放電電極バー１同士は、隣接する放電電極バー１と１との間の離間距離にほぼ等しい比較的短い外部モジュラーケーブル３５によって連結される。
【００２２】
各組３３の先頭に位置する放電電極バー１の一方のモジュラーケーブルコネクタ用開口３０には、比較的長い外部モジュラーケーブル３７が接続され、このケーブル３７を介してコントローラ３６から各放電電極バー１に対して、電力及び各放電電極バー１に対する各種設定値、例えばイオン発生周期や電極クリーニング警報のための設定値を通信する一方、各放電電極バー１からコントローラ３６に対して、放電電極バー１の除電状態を表す例えば、イオンバランス信号やイオン発生量に関する信号を通信している。このようなシリアル信号を実行するため、具体的には、各放電電極バー１には、各放電電極バー特有のＩＤコードを発生する機能を持たせると共に、この情報をコントローラ３６に供給することにより、コントローラ３６は特定の放電電極バー１に対して、警報などの情報の提供を行うこともできる。そして、先頭の放電電極バー１に供給された電力及び各放電電極バー１に対する共通情報は、比較的短い外部モジュラーケーブル３５を通じて、各組３３に属する他の放電電極バー１に供給される。コントローラ３６は、従来と同様に、図外のコンピュータによって制御される。
【００２３】
以上の説明から理解できるように、放電電極バー１の一端部分に２つのコネクタ用開口３０（接続口１０）を設けたため、これら接続口１０同士を電気的に連結するため内部ケーブルは、放電電極バー１の一端部分に位置させることができる。例えば、放電電極バー１の両端面に夫々コネクタ用開口（接続口）を設けた場合には、放電電極バー１の内部に長手方向に延びる内部ケーブルを配置させて２つの接続口同士を連結させる必要があり、この内部ケーブルと高電圧ユニット５との間の間隔を拡大するには、放電電極バー１の高さ寸法を大きくしなければならないが、本発明の実施例のように、放電電極バー１の一端部分に２つの接続口１０を設けたことから、長手方向に延びる内部ケーブルが不要であり、これにより放電電極バー１の高さ寸法を小さくすることができる。
【００２４】
また、実施例のように、放電電極バー１の一端部分に接続口１０を設け、これとは遠く離れた他端部分に高電圧ユニット５を設けたことから、先に従来技術の問題点を、事実上、考慮に入れることなく、放電電極バー１のケース２を設計することができる。
【図面の簡単な説明】
【図１】実施例の放電電極バーの構造を説明するための図である。
【図２】実施例の放電電極バーの組立分解斜視図である。
【図３】実施例の放電電極バーの設置に関するレイアウトの一例を説明するための図である。
【符号の説明】
１    放電電極バー
２    ケース
４    放電電極
５    高電圧ユニット
１０    接続口
１９    モジュラ基板
３０    ケースの開口（接続口が臨む）
【図１】
0004610092.tif 000002
【図２】
0004610092.tif 000003
【図３】
0004610092.tif 000004